(57)【要約】【課題】本発明は、加工過程が簡単であるプロジェクターの鏡筒モジュール及び前記鏡筒モジュールを有するレンズモジュール提供する。【解決手段】本発明に係るプロジェクターの鏡筒モジュールは、中空のホルダーと、前記ホルダーと同軸であって且つ前記ホルダーから分離することができる内部鏡筒及び少なくとも二つのねじを備え、前記ホルダーに少なくとも二つのねじ孔を開設し、前記ホルダーに接する前記内部鏡筒の端面に少なくとも二つのねじ孔を開設し、前記ホルダーのねじ孔と前記内部鏡筒のねじ孔は、対応して設置され、前記少なくとも二つのねじは、別々に前記ホルダーのねじ孔及び前記内部鏡筒のねじ孔を貫いて、前記ホルダーと前記内部鏡筒を接続する。本発明に係るプロジェクターのレンズモジュールは、外部鏡筒と、少なくとも一つのレンズグループと、少なくとも一組の方向ガイド部品及び上述の鏡筒モジュールを備える。【選択図】図２
2009053697.tif 000002
【特許請求の範囲】
【請求項１】
中空のホルダーと、前記ホルダーと同軸であって且つ前記ホルダーから分離することができる内部鏡筒を備え、前記ホルダーに少なくとも二つのねじ孔を開設し、前記ホルダーに接する前記内部鏡筒の端面に少なくとも二つのねじ孔を開設し、前記ホルダーのねじ孔と前記内部鏡筒のねじ孔は、対応して設置され、少なくとも二つのねじが前記ホルダーのねじ孔及び前記内部鏡筒のねじ孔を別々に貫いて、前記ホルダーと前記内部鏡筒を接続することを特徴とするプロジェクターの鏡筒モジュール。
【請求項２】
前記ホルダーに接する前記内部鏡筒の端面は、前記内部鏡筒の軸線方向に直交することを特徴とする請求項１に記載のプロジェクターの鏡筒モジュール。
【請求項３】
前記内部鏡筒に定位柱を有し、前記ホルダーに定位孔を有し、前記定位柱と前記定位孔は、対応設置されることを特徴とする請求項１に記載のプロジェクターの鏡筒モジュール。
【請求項４】
前記内部鏡筒に定位孔を有し、前記ホルダーに定位柱を有し、前記定位柱と前記定位孔は、対応設置されることを特徴とする請求項１に記載のプロジェクターの鏡筒モジュール。
【請求項５】
前記ホルダーは、耐熱材料からなることを特徴とする請求項１に記載のプロジェクターの鏡筒モジュール。
【請求項６】
前記ホルダーは、プレス成型の構造であることを特徴とする請求項１に記載のプロジェクターの鏡筒モジュール。
【請求項７】
前記内部鏡筒は、プレス成型の構造であることを特徴とする請求項１に記載のプロジェクターの鏡筒モジュール。
【請求項８】
外部鏡筒と、少なくとも一つのレンズグループと、少なくとも一組の方向ガイド部品及び請求項１〜請求項７に記載のプロジェクターの鏡筒モジュールを備えるプロジェクターのレンズモジュールであって、前記外部鏡筒は、前記鏡筒モジュールの内部鏡筒を回転可能に覆い、前記少なくとも一つのレンズグループは、前記鏡筒モジュールの内部鏡筒に収納され、前記方向ガイド部品は、前記外部鏡筒及び前記内部鏡筒を貫いて、前記レンズグループがプロジェクターのレンズモジュールの光軸方向に沿って移動するようにガイドすることを特徴とするプロジェクターのレンズモジュール。
【発明の詳細な説明】
【技術分野】
【０００１】
本発明は、プロジェクターに関するものであり、特にその鏡筒モジュール及び前記鏡筒モジュールを有するレンズモジュールに関するものである。
【背景技術】
【０００２】
一般的に、プロジェクターのレンズは、鏡筒モジュールによって支えられる。従来の技術において、プロジェクターの鏡筒モジュールのホルダーと内部鏡筒は、一体成型されるため、加工し難く、比較的長い加工時間を必要とする。
【０００３】
上述の問題を解決するために、ホルダと内部鏡筒を分離した鏡筒が出現し、このような分離構造は、前記ホルダーに中空フランジ（plunge）を設置し、且つ前記中空フランジの内側に内部ねじ山を設置し、前記内部鏡筒の外周縁に外部ねじ山を設置し、前記外部ねじ山が前記内部ねじ山に回転結合することにより、前記内部鏡筒を前記ホルダに一体に連接する。また、前記中空フランジ及び前記内部鏡筒の互いに対応する位置に更にねじ孔を設置し、ねじが前記中空フランジのねじ孔と前記内部鏡筒のねじ孔を通じることにより、前記ホルダーと前記内部鏡筒とを更に固定連接する。このような離れたホルダー及び内部鏡筒を有するプロジェクターの鏡筒は、前記ホルダー及び前記内部鏡筒に皆ねじ山を形成し、且つねじを使用するため、加工及び組み立て過程が複雑になり、上述の問題は依然として解決されなかった。
【発明の開示】
【発明が解決しようとする課題】
【０００４】
本発明の目的は、前記課題を解決し、加工過程が簡単であるプロジェクターの鏡筒モジュール及び前記鏡筒モジュールを有するレンズモジュールを提供することである。
【課題を解決するための手段】
【０００５】
前記目的を達成するため、本発明に係るプロジェクターの鏡筒モジュールは、中空のホルダーと、前記ホルダーと同軸であって且つ前記ホルダーから分離することができる内部鏡筒及び少なくとも二つのねじを備える。前記ホルダーに少なくとも二つのねじ孔を開設し、前記ホルダーに接する前記内部鏡筒の端面に少なくとも二つのねじ孔を開設し、前記ホルダーのねじ孔と前記内部鏡筒のねじ孔は、対応して設置され、前記少なくとも二つのねじは、別々に前記ホルダーのねじ孔及び前記内部鏡筒のねじ孔を貫いて、前記ホルダーと前記内部鏡筒を接続する。
【０００６】
前記目的を達成するため、本発明に係るプロジェクターのレンズモジュールは、外部鏡筒と、少なくとも一つのレンズグループと、少なくとも一組の方向ガイド部品及び上述の鏡筒モジュールを備え、前記外部鏡筒は、前記鏡筒モジュールの内部鏡筒を回転可能に覆い、前記少なくとも一つのレンズグループは、前記鏡筒モジュールの内部鏡筒に収納され、前記方向ガイド部品は、前記外部鏡筒及び前記内部鏡筒を貫いて、前記レンズグループがプロジェクターのレンズモジュールの光軸方向に沿って移動するようにガイドする。
【発明の効果】
【０００７】
本発明に係るプロジェクターの鏡筒モジュールは、ねじがホルダーのねじ孔と前記ホルダーに接する内部鏡筒の端面のねじ孔を直接に貫いて、前記ホルダーと前記内部鏡筒を接続することにより形成され、前記ホルダー及び前記内部鏡筒にねじ山を加工する必要がないため、加工過程が簡単になり、従って前記鏡筒モジュールを有するプロジェクターのレンズモジュールの加工過程も簡単になる。
【発明を実施するための最良の形態】
【０００８】
以下、添付図面を参照しながら本発明を詳しく説明する。
【０００９】
図１及び図２を参照すると、本発明の実施形態に係るプロジェクターの鏡筒モジュール１００は、中空のホルダー１０と、前記ホルダー１０と同軸であって且つ前記ホルダー１０から分離することができる内部鏡筒２０及び四つの第一ねじ４０を備える。前記内部鏡筒２０は、前記第一ねじ４０によって前記ホルダー１０に接続される。
【００１０】
前記ホルダー１０は、接続部１１及び二つのフランジ（plunge）１３を備える。前記接続部１１は、環形であって、前記接続部１１に四つの第一ねじ孔１２、二つの定位孔１４が等間隔に開設される。前記第一ねじ孔１２及び前記第一ねじ４０の数量は同じである。前記二つのフランジ１３に別々に二つの第二ねじ孔１６が開設される。前記プロジェクターの鏡筒モジュール１００は、ねじ（図示せず）で前記第二ねじ孔１６を貫いて外部の固定ホルダー（図示せず）に接続することができる。前記ホルダー１０は、耐熱金属のような耐熱材料からなり、且つ好ましくはプレス成型した構造である。
【００１１】
前記内部鏡筒２０は、前記ホルダー１０に接する接続端面２１及び円周面２３を備える。前記接続端面２１の上には四つの第三ねじ孔２２、二つの定位柱２４を設置される。前記第三ねじ孔２２と前記第一ねじ孔１２は対応設置され、且つ前記第三ねじ孔２２、前記第一ねじ孔１２及び前記第一ねじ４０の数量は、皆同じである。前記定位柱２４と前記定位孔１４は対応設置される。前記円周面２３は三つの凸台２６及び三つの方向ガイドホール２８を有する。前記方向ガイドホール２８は、前記内部鏡筒２０を貫く鍵穴状の孔であって、且つ前記内部鏡筒２０の軸心と平行する方向に沿って設置される。前記定位柱２４を前記定位孔１４に挿入してから、前記第一ねじ４０で前記第一ねじ孔１２及び前記第三ねじ孔２２を貫くことにより、前記内部鏡筒２０を前記ホルダー１０に一体に固定接続して、前記プロジェクターの鏡筒モジュール１００を形成する。前記内部鏡筒２０は、好ましくはプレス成型した構造である。
【００１２】
前記接続部１１は、本実施形態のように環形に限定されるものではなく、四角形などの形状であることができ、前記内部鏡筒２０を前記ホルダー１０に固定接続されさえすればいい。前記第一ねじ４０、前記第一ねじ孔１２及び前記第三ねじ孔２２の数量は、本実施形態のように四つに限定されるものではなく、少なくとも二つであればよく、例えば、三つ、四つ又はもっと多くてもよい。前記第一ねじ４０、前記第一ねじ孔１２及び前記第三ねじ孔２２は、等間隔に設置しなくてもよく、前記内部鏡筒２０が前記ホルダー１０に固定接続されさえすればいい。また、前記ホルダー１０に定位柱を設置し、且つ前記内部鏡筒２０に対応する定位孔を設置することができる。また、前記ホルダー１０に定位柱を設置せず、且つ前記内部鏡筒２０に定位孔を設置しなくてもよい。前記定位孔１４と前記定位柱２４の数量は、本実施形態のように二つに限定されるものではなく、その数量を任意に設置することができる。
【００１３】
図３を参照すると、本発明の実施形態に係るプロジェクターのレンズモジュール２００は、外部鏡筒３０と、二つのレンズグループ６０と、二組の方向ガイド部品５０及び上述のプロジェクターの鏡筒モジュール１００を備える。前記プロジェクターのレンズモジュール２００の光軸ＯＯ’と前記内部鏡筒２０の軸心は一致する。前記外部鏡筒３０は、前記内部鏡筒２０を回転可能に覆う。前記二つのレンズグループ６０は、皆前記内部鏡筒２０に収納される。前記二組の方向ガイド部品５０は、前記外部鏡筒３０及び前記内部鏡筒２０を貫いて、前記レンズグループ６０に接触する。前記外部鏡筒３０が回転するとともに、前記方向ガイド部品５０は、前記光軸ＯＯ’方向に沿って移動して、前記レンズグループ６０が前記光軸ＯＯ’方向に沿って移動するようにガイドする。
【００１４】
前記外部鏡筒３０は三組の方向ガイドホール３２、三つの進入スロット３４及び一つのガイドスロット３６を有する。三組の方向ガイドホール３２において、組毎の数量は、前記レンズグループ６０の数量と同じであって、皆二つである。前記方向ガイドホール３２は、前記外部鏡筒３０の円周面に設置され、前記外部鏡筒３０を貫く鍵穴状の孔であって、且つ光軸ＯＯ’方向に対して傾斜する。前記進入スロット３４は、半開口構造であって、前記外部鏡筒３０の一端の辺縁に設置される。前記ガイドスロット３６は、前記外部鏡筒３０の内壁に設置され、且つ前記進入スロット３４の一端の近くに設けられている。前記内部鏡筒２０の凸台２６は、前記進入スロット３４によって前記ガイドスロット３６の中に挟まることにより、前記外部鏡筒３０が光軸ＯＯ’の方向に沿って移動することを防止する。
【００１５】
前記二組の方向ガイド部品５０は、別々に前記外部鏡筒３０の方向ガイドホール３２及び前記内部鏡筒２０の方向ガイドホール２８を貫いて、前記レンズグループ６０に接触し、前記外部鏡筒３０が回転してから、前記方向ガイド部品５０は、前記方向ガイドホール３２に沿って移動するとともに、前記内部鏡筒２０の方向ガイドホール２８の内部で光軸ＯＯ’の方向に沿って移動し、前記方向ガイド部品５０のガイドによって、前記レンズグループ６０も光軸ＯＯ’方向に沿って移動する。
【００１６】
前記外部鏡筒３０の方向ガイドホール３２及び前記内部鏡筒２０の方向ガイドホール２８の形状は、本実施形態のように鍵穴状に限定されるものではなく、長方形などの他の形状を採用することができる。前記三組の方向ガイドホール３２において、組毎の数量は、本実施形態のように二つに限定されるものではなく、その数量を任意に設置することができる。対応して、前記方向ガイド部品５０の組数及び前記レンズグループ６０の組数も本実施形態のように二つに限定されるものではなく、その組数を任意に設置することができる。前記方向ガイドホール３２の組毎の数量が前記レンズグループ６０の組数及び前記方向ガイド部品５０の組数と同じでさえすればよい。
【００１７】
前記外部鏡筒３０の進入スロット３４及び前記内部鏡筒２０の凸台２６の数量は、同じであるが本実施形態のように三つに限定されるものではなく、その数量を任意に設置することができ、好ましくは少なくとも二つである。前記外部鏡筒３０と前記内部鏡筒２０の接続方式は、本実施形態のように前記凸台２６を前記ガイドスロット３６の中に挟まる方式に限定されるものではなく、以下の方式を採用することができ、即ち前記内部鏡筒２０の円周面２３に位置限定孔（図示せず）を開設し、前記外部鏡筒３０の円周面に通孔（図示せず）を開設し、前記通孔は、光軸ＯＯ’の方向に直交し、鍵穴状又は他の形状である。ねじが前記外部鏡筒３０の通孔及び前記内部鏡筒２０の位置限定孔を貫いて、前記外部鏡筒３０が前記内部鏡筒２０を覆う。前記外部鏡筒３０が回転する時に光軸ＯＯ’の方向に沿って前記内部鏡筒２０に対して相対的に移動しない。
【００１８】
以上本発明を実施例に基づいて具体的に説明したが、本発明は、上述の実施例に限定されるものではなく、その要旨を逸脱しない範囲において、種種変更可能であることは勿論であって、本発明の保護範囲は、以下の特許請求の範囲から決まる。
【図面の簡単な説明】
【００１９】
【図１】本発明の実施形態に係るプロジェクターの鏡筒モジュールの構造を示す立体図である。
【図２】本発明の実施形態に係るプロジェクターの鏡筒モジュールの構造を示す分解図である。
【図３】本発明の実施形態に係るプロジェクターのレンズモジュールの構造を示す分解図である。
【符号の説明】
【００２０】
１０  ホルダー
１１  接続部
１２  第一ねじ孔
１３  フランジ
１４  定位孔
１６  第二ねじ孔
２０  内部鏡筒
２１  接続端面
２２  第三ねじ孔
２３  円周面
２４  定位柱
２６  凸台
２８、３２  方向ガイドホール
３０  外部鏡筒
３４  進入スロット
３６  ガイドスロット
４０  ねじ
５０  方向ガイド部品
６０  レンズグループ
１００  プロジェクターの鏡筒モジュール
２００  プロジェクターのレンズモジュール
【図１】
2009053697.tif 000003
【図２】
2009053697.tif 000004
【図３】
2009053697.tif 000005